(57)【要約】      （修正有）【課題】縫い針に糸を通したままの糸付き針を刺し止め整理保管できる針刺しを提供する。【解決手段】糸付き縫い針を針刺しに刺し止めた時、縫い針に付いた糸を針刺しに糸巻きの様に巻き付けられるよう、そのかたちを長方体の糸巻きがた針刺しとした。【選択図】図１
0003133103.tif 000002
【実用新案登録請求の範囲】
【請求項１】
糸を通した糸付き縫い針を針刺しに刺し止める際、その針に付いた糸を針刺し自体を糸巻き代用として巻き付けられるように針刺しの形状を胴径３ｃｍ〜５ｃｍ、長さ１０ｃｍ〜１５ｃｍの長方体に考案設計したものである。
【請求項２】
本考案の糸巻き代用の長方体の針刺しに糸付き縫い針を多本数刺し止める場合、巻き付け整理した糸同志が左右にずれて絡み合い縺れるのを防ぐため、縫製時の布地またはフェルトの重ね縫い代を広く７ｍｍ〜１０ｍｍ幅に取り５ｍｍピッチの山形切り込みを入れる。この縫い代の山形切り込みのギザギザは巻いた糸の横ずれによる絡み合を防止する。
【考案の詳細な説明】
【技術分野】
【０００１】  本考案は、縫い針に糸の通った残糸付き針を刺し止め保管整理するための針刺しに関する技術分野である。
【背景技術】
【０００２】  従来の針刺しは、丸型または角形で小型の座布団のようなかたちで、主として糸の付かない縫い針を刺し止め保管することを目的にしていた。用後の糸付き縫い針は、糸が絡むので糸を抜いてから針刺しに刺していた。その欠点は、相当長い残糸でも捨てられていて非エコロジーであった。また、糸の付いていない縫い針は針刺しの中へ埋没する事が多く、その埋没した縫い針で指先を刺し傷する危険があった。
【考案の開示】
【考案が解決しようとする課題】
【０００３】  （イ）糸の通った縫い針の刺し止め整理保管すること。
（ロ）刺繍作業などでは多色の糸付き縫い針を刺し止め整理保管したい。
（ハ）針刺しへの縫い針埋没を防ぎたい。
【課題を解決するための手段】
【０００４】  （１）針刺しの形状を長く長方体にして糸付き縫い針を刺し止めた時、その針に付いた糸は長方体の針刺しに糸巻き代りに巻き付け整理収納できるようにした。
（２）刺繍作業などでは沢山の色糸が必要とされるので他本数の色糸付き縫い針の刺し止め収納ができるよう針刺しの長さを１０ｃｍ〜１５ｃｍとし、胴部の径は３ｃｍ〜５ｃｍに設定した。
（３）多数糸付き縫い針の糸が巻かれた長方体の糸刺しでは巻かれた糸同志が横ずれして絡むので、本針刺しの縫製時の重ね縫い代を広く７ｍｍ〜１０ｍｍ幅に取り５ｍｍピッチの山形切り込みを入れて、巻かれた糸の横ずれによる絡みを防止した。
（４）針刺しへの縫い針の埋没を防ぐには、縫い針はすべて糸付きのまま針刺しに刺せば防ぐ事ができる。
【考案の効果】
【０００５】  糸巻きがた針刺しの考案により糸を通うしたままの縫い針を刺し止めして整理保管でき、エコロジーで  安全性を増す効果がある。
（イ）糸付きのまま縫い針を整理保管できるので、次回の縫製作業時に糸が再利用できエコロジーであり、縫い針への改めての糸通しの手間も省ける。
（ロ）色糸を多数縫い針に通して準備し作業する刺繍などの場合、本考案の糸巻きがた針刺しは有効である。
（ニ）縫い針への糸通しの苦手になった高齢者では、前以て多数の糸通しをした縫い針を準備してもらい、縫製を楽しむ事ができる。
（ホ）針刺しに縫い針を糸付のまま刺し止めすることで、縫い針の針刺し中への埋没を防止でき、埋没縫い針による指先の刺し傷を防げる。
【考案を実施するための最良の形態】
【０００６】  以下、本考案の実施の形態について説明する。
糸巻きがた針刺しは、重ねた２枚の長方形の布地又はフエルト地の周辺部に縫い代を広め７ｍｍ〜１０ｍｍに取り、糸にて縫製し、その内部に縫い針を保持させる綿状繊維または粗毛を充墳した形態である。尚、広い縫い代の周辺に５ｍｍピッチの山形切り込みを入れるのは、針刺しに刺した縫い針に付いた糸を巻き付けた時、その糸が横ずれしないように糸巻きとしての機能を持たせたものである。
（イ）２枚重ねた長方形の布地又はフエルト地（１）の周辺部縫い代（２）を糸で縫製し、その内部に縫い針を保持させる綿状繊維または粗毛（３）を充填してなる長方体の糸巻きがた針刺しである。
（ロ）本糸巻きがた針刺しの縫い代周辺部全体に山形切り込み（４）を入れ、巻き付けた糸の横ずれを防ぎ、より糸巻きとしての効果を上げる。
（ハ）基本形態は、ストレートの長方体としての糸巻きがた針刺しであるが、使う人の趣味に合わせて可愛く果物のバナナ型、野菜のキュウリ型、魚の型、可愛い繭型などに形をデザインしての実施もできるものとする。
【実施例】
【０００７】  図１、図２に実施の長方体の糸巻きがた針刺しの斜視図を示し、つぎにその応用としてデザインしたバナナ型糸巻きがた針刺しの事例を図３〜図６に提示する。
綿状繊維または粗毛（３）を心材として２枚の布地またはフエルト地（１）で挟み込んで長方体の針刺しとして縫製し、その周辺縫い代（２）の幅を広く取り山形の連続した切り込み（４）を入れる事により糸の通った縫い針が刺し止めできる糸巻きがた針刺し図１が完成する。本糸巻きがた針刺しに糸つき針を差し止め、その糸の部分を針刺しに巻き付けた状態が図２である。また本考案にかかる糸巻きがた針刺しの意匠を長方体よりバナナ型に変化させた実施例が図３、図４、図５、図６である。
【図面の簡単な説明】
【０００８】
【図１】  本考案の斜視図
【図２】  本考案に糸つき針を差し止め、糸を針刺しに巻き付けた状態の斜視図
【図３】  バナナ型の糸巻きがた針刺しの正面図
【図４】  バナナ型の糸巻きがた針刺しの右側面図
【図５】  バナナ型の糸巻きがた針刺しの上面図
【図６】  バナナ型の糸巻きがた針刺しのＡ−Ａ’断面図
【符号の説明】
【０００９】  １  布地またはフェルト地の本体外皮
２  縫い代
３  綿状繊維又は粗毛の中芯
４  縫い代に加工した山形切り込み
５  糸付き縫い針
【図１】
0003133103.tif 000003
【図２】
0003133103.tif 000004
【図３】
0003133103.tif 000005
【図４】
0003133103.tif 000006
【図５】
0003133103.tif 000007
【図６】
0003133103.tif 000008
【手続補正書】
【提出日】平成19年3月22日(2007.3.22)
【手続補正１】
【補正対象書類名】実用新案登録請求の範囲
【補正対象項目名】全文
【補正方法】変更
【補正の内容】
【実用新案登録請求の範囲】
【請求項１】
長方体状に圧縮した綿状繊維の中芯を２枚の布の表地で挟み、周囲の重ね縫い代を幅広く５ｍｍ〜７ｍｍの襞状に成るよう糸にて縫合して成る全長１０ｃｍ〜１５ｃｍ，胴径３ｃｍ〜５ｃｍの丸みを帯びた長方体形状の針刺しで、この周囲の幅広い襞状重ね縫い代は巻いた糸に反発する緊張を与えて緩みを防止する機能を持って成る糸付き縫い針を保管整理できる糸巻きがた針刺し。
【請求項２】
糸巻きがた針刺しの幅広の襞状重ね縫い代に、巻いた糸の横ずれを防ぐ引っ掛かりになる山形切り込みを、周囲に５ｍｍピッチで連続して入れて成る請求項１の糸巻きがた針刺し。
【手続補正２】
【補正対象書類名】明細書
【補正対象項目名】０００２
【補正方法】変更
【補正の内容】
【０００２】  従来の針刺しは、丸型または角形の座布団のようなかたちで、用後の糸付き縫い針は、糸が絡むので糸を抜いてから針刺しに刺していた。その欠点は、相当長い残糸でも捨てられていて非エコロジーであった。また、糸の付かない縫い針は、よく針刺しの中に埋没し誤って指先を刺すことがあった。
【手続補正３】
【補正対象書類名】明細書
【補正対象項目名】０００３
【補正方法】変更
【補正の内容】
【０００３】  （イ）針刺しに糸付き縫い針を刺し止め、その糸を絡み無く整理保管すること。
（ロ）刺繍作業などでは多色、多本数の糸付き縫い針を針刺しに刺し止め整理保管したい。
（ハ）針刺しへの縫い針埋没を防ぎたい。
【手続補正４】
【補正対象書類名】明細書
【補正対象項目名】０００４
【補正方法】変更
【補正の内容】
【０００４】  （１）針刺しの形状を長方体にして糸付き縫い針を刺し止めた時、その糸は長方体の針刺しに糸巻き代りに巻き付け整理収納する。
（２）刺繍作業などで他本数の色糸付き縫い針の刺し止め収納ができるよう針刺しの長さを１０ｃｍ〜１５ｃｍ、胴部の径を３ｃｍ〜５ｃｍに設定した。
（３）糸付き縫い針の糸が巻かれた針刺しの糸の絡み防止に、１）針刺しの重ね縫い代を襞状に幅広く７ｍｍ〜１０ｍｍ幅に取る。この襞は襞を潰すように巻かれる糸に反発と緊張を与え、糸の緩みによる絡みを防止する。２）襞状の重ね縫い代に５ｍｍピッチの連続した山形切り込みを入れて、糸の横ずれを防止する。
（４）糸付き縫い針は針刺しへの埋没を防ぐ事ができる。
【手続補正５】
【補正対象書類名】明細書
【補正対象項目名】０００５
【補正方法】変更
【補正の内容】
【０００５】  本考案の糸巻きがた針刺しは糸付き縫い針の安全整理保管と糸の無駄を解消する。
（イ）糸付きのまま縫い針を整理保管でき、次回の縫製作業時に糸が再利用できてエコロジーであり、縫い針への改めての糸通しの手間も省ける。
（ロ）色糸を多色使い分ける刺繍作業時の針刺しに、本考案の糸巻きがた針刺しが有効でエコロジーである。。
（ハ）縫い針への糸通しが苦手になった高齢者では、前以て糸通しをしてもらった多本数の縫い針を準備してもらい、本考案の糸巻きがた針刺しに、その糸を巻き付け整理ストックし、裁縫を楽しむ事ができる。
（ニ）糸付き縫い針を針刺しに刺す事により、針刺しへの縫い針の埋没が防げる。
【手続補正６】
【補正対象書類名】明細書
【補正対象項目名】０００６
【補正方法】変更
【補正の内容】
【０００６】  以下、本考案の実施の形態について説明する。糸巻きがた針刺しは、縫い針を保持させる長方体状に圧縮した綿状繊維の中芯を２枚の布またはフェルトの表地で挟み、周囲の重ね縫い代を幅広く５ｍｍ〜７ｍｍのひだ状に出し、糸で縫合して成る全長が１０ｃｍ〜１５ｃｍ，胴径が３ｃｍ〜５ｃｍの丸みを帯びた長方体形状針刺しとし、その周囲の幅広い襞状重ね縫い代周辺に糸の横ずれ防止の山形の連続切り込み加工を施した形態を最良とする。
（イ）綿状繊維の中芯（３）を２枚の布またはフェルトの表地（１）で挟み、周囲の広幅の重ね縫い代（２）を糸で縫製してなる糸巻きがた針刺し。
（ロ）広幅の襞状重ね縫い代の周辺部に、巻き付けた糸の横ずれを防ぐ山形切り込み（４）を加工して成る糸巻きがた針刺し。
（ハ）基本形態は、丸みを帯びた長方体形状の糸巻きがた針刺しであるが、趣向に合わせて可愛く果物のバナナ型、野菜のキュウリ型、魚の型、繭形、などにデザインした糸巻きがた針刺しも本考案に含まれるものとする。
【手続補正７】
【補正対象書類名】明細書
【補正対象項目名】０００７
【補正方法】変更
【補正の内容】
【０００７】  図１、図２に本案実施の丸みある長方体形状の糸巻きがた針刺しの斜視図を示し、次ぎに、その応用実施例としてバナナ型にデザインした糸巻きがた針刺しの意匠図を図３、図４、図５、図６に提示する。バナナ型糸巻きがた針刺しの構成は、丸みある長方体形状の糸巻きがた針刺しと同じ構成で、圧縮した綿状繊維の中芯（３）をバナナ型に整え、２枚の布またはフェルトの表地（１）で挟み、周囲の重ね縫い代（２）を幅広の襞状に成るよう糸で縫製し、その幅広に設けた襞状の周辺縫い代に巻いた糸の横ずれによる絡み防止の連続した山形切り込み（４）を連続して入れて成るバナナ型糸巻きがた針刺しである。
【手続補正８】
【補正対象書類名】明細書
【補正対象項目名】０００８
【補正方法】変更
【補正の内容】
【０００８】
【図１】  本考案の糸巻きがた針刺しの斜視図
【図２】  本考案の糸巻きがた針刺しに糸付き縫い針を刺し、その糸を本体に巻き付けた状態の斜視図
【図３】  バナナ型の糸巻きがた針刺しの正面図
【図４】  バナナ型の糸巻きがた針刺しの右側面図
【図５】  バナナ型の糸巻きがた針刺しの上面図
【図６】  バナナ型の糸巻きがた針刺しのＡ−Ａ’断面図
【手続補正９】
【補正対象書類名】図面
【補正対象項目名】図１
【補正方法】変更
【補正の内容】
【図１】
0003133103.tif 000009
【手続補正１０】
【補正対象書類名】図面
【補正対象項目名】図２
【補正方法】変更
【補正の内容】
【図２】
0003133103.tif 000010